(57)【要約】  【課題】  流しの排水口の異なる口径に適合する蓋を提供すること。  【解決手段】  排水用開口６を有し、流し１の排水口１ｑの上部に設置されているゴミ受けカゴ３を覆うように設けられる蓋４において、流し１の排水口１ａの異なる口径に適合するよう外周にフランジＦが形成されている。  【選択図】  図１  
2005273250.tif 000002
【特許請求の範囲】
【請求項１】
排水用開口を有し、流しの排水口の上部に設置されているゴミ受けカゴを覆うように設けられる蓋において、流しの排水口の異なる口径に適合するよう外周にフランジが形成されていることを特徴とする蓋。
【請求項２】
平面視ほぼ半円状の平板部の端縁と、平面視ほぼ半円状で下方に凹入する湾曲板部の端縁とで形成される排水用開口を有する請求項１記載の蓋。
【請求項３】
前記湾曲板部を互いに対称の形状となるように二つに区分する切欠きを設けてある請求項２に記載の蓋。
【請求項４】
平面視ほぼ扇形状の一対の平板部と、平面視ほぼ扇形状で下方に凹入する一対の湾曲板部とを備え、前記平板部と湾曲板部とは平面視において互いに隣り合う状態で配置され、前記平板部の端縁と前記湾曲板部の端縁とで排水用開口を形成してある請求項１に記載の蓋。
【発明の詳細な説明】
【技術分野】
【０００１】
この発明は、流しの排水口の上部に設けられる蓋に関するものである。
【背景技術】
【０００２】
平面視ほぼ半円状の平板部の端縁と、平面視ほぼ半円状で下方に凹入する湾曲板部の端縁とで形成される排水用開口を有し、流しの排水口の上部に設置されているゴミ受けカゴを覆うように設けられる蓋として、下記特許文献１に示すものがある。
【特許文献１】特許第２７２４５５５号公報
【発明の開示】
【発明が解決しようとする課題】
【０００３】
ところで、流しの排水口は大小さまざまの大きさがあり、排水口の特定の口径にだけ適合する前記蓋は汎用性がない。
【０００４】
この発明は、上述の事柄に留意してなされたもので、その目的は、流しの排水口の異なる口径に適合する蓋を提供することである。
【課題を解決するための手段】
【０００５】
上記目的を達成するために、この発明の蓋は、排水用開口を有し、流しの排水口の上部に設置されているゴミ受けカゴを覆うように設けられる蓋において、流しの排水口の異なる口径に適合するよう外周にフランジが形成されている。
【発明の効果】
【０００６】
この発明では、流しの排水口の異なる口径に適合するよう外周にフランジが形成されているので、汎用性があり、流しの排水口の大小にかかわらず使用者は流しの排水口の上部に蓋を設置できる。
【発明を実施するための最良の形態】
【０００７】
以下、この発明の実施形態を、図を参照しながら説明する。なお、それによってこの発明は限定されるものではない。
【０００８】
図１〜図４は、この発明の第１の実施形態を示す。なお、図１、図２は、異なる口径の排水口にこの発明の蓋が設置できることを説明するためのものである。
【０００９】
図１〜図４において、流し１の排水口１ａには、下流側が排水パイプ（図示せず）に接続するよう取り付けられたほぼ筒状のゴミ受けカゴ収容容器２と、この収容容器２の上部空間Ｓに着脱自在に収容されるゴミ受けカゴ３と、このゴミ受けカゴ３を覆うよう、前記収容容器２の上方開口２ａにはめ込まれて使用される合成樹脂製で剛性の蓋４とが備わっている。排水栓２は、公知のものが使用されており、上方開口２ａを形成する環状の外向きフランジ５を介して排水口１ａに取り付けられている。
【００１０】
前記蓋４は、平面視円形に形成されており、排水用開口６を平面視におけるほぼ中央に有する。また、前記蓋４は、平坦な環状の上面外周部７と、この上面外周部７から下方に直角に折れ曲がった環状の垂下部８と、前記上面外周部７のほぼ半周部分における内周側から内側で、上方側に緩やかに傾斜する傾斜部９と、この傾斜部９から内側に連設されて端縁ｍに至る、平面視ほぼ半円状の平板部１０と、前記上面外周部７の残りのほぼ半周部分における外周側から内側に所定幅Ｌを有する形でほぼ平坦に連設される連設部１１と、この連設部１１から内側で下方に凹入する平面視ほぼ半円状の湾曲部分１２とから主として構成されている。
【００１１】
そして、前記蓋４は、平面視ほぼ半円状の前記平板部１０の端縁ｍと、平面視ほぼ半円状で下方に凹入する前記湾曲板部１２の端縁ｎとで形成される排水用開口６を有する。なお、前記端縁ｍは、平面視ほぼ半円状の平板部１０の直径部分である。また、前記端縁ｎは、平面視ほぼ半円状で下方に凹入する前記湾曲板部１２の平面視における直径部分である。この実施形態では、前記端縁ｎは、湾曲板部１２と連設部１１に跨がっている。また、前記端縁ｍは、前記平板部１０から傾斜部９に跨がっている。
１５は、前記湾曲板部１２に設けた一つの切欠きで、前記湾曲板部１２を互いに対称の形状となるように二つに区分している。この切欠き１５は、前記湾曲部分１２を二つに区分するスリット状の切欠きで、湾曲板部１２の端縁ｎの中央から、湾曲板部１２の湾曲面１２ａに沿って真っ直ぐに湾曲板部１２が切込まれて前記連設部１１の内縁１１ａに至る。  
【００１２】
この発明では、流し１の排水口１ａの異なる口径に適合するよう蓋４の外周にフランジＦが形成されている。すなわち、この発明は、平坦な環状の上面外周部７を垂下部８の位置から平面視円形の蓋４における径方向に長さＡだけ突出させてなる環状のフランジＦを設けている。
【００１３】
ここで、流し１の排水口１ａの口径が例えば大中小の三つの場合があるとした場合、大中小のうち、従来は小の口径を持つ排水口１ａ（図１参照）に、図１３に示すような長い垂下部８’を、ゴミ受けカゴ収容容器２の胴の上部に形成されているストレート部分２ｂ（図１参照）とゴミ受けカゴ収容容器２のフランジ５との間に設けた環状の段差Ｍに載置するとともに、垂下部８’の外周面がゴミ受けカゴ収容容器２の上方開口２ａにおける内周面ｉ（図１参照）に当接しながら蓋４’を排水栓２に嵌め込んでいたが、
（１）この発明では、排水口１ａの口径が例えば大の場合には、図２に示すようにゴミ受けカゴ収容容器２のフランジ５の内周部分に前記フランジＦの外周部分が引っ掛かる形で排水口１ａに蓋４を設置できるようにしたものである。
また、
（２）この発明では、排水口１ａの口径が例えば小の場合には、図１に示すように、垂下部８の外周面がゴミ受けカゴ収容容器２の上方開口２ａにおける内周面ｉに当接しながら、かつ、垂下部８から突出させた前記フランジＦがゴミ受けカゴ収容容器２のフランジ５に載置された状態で排水口１ａに蓋４を設置できるようにしたものである。
【００１４】
図５、図６は、この発明の第２の実施形態を示す。なお、図５、図６において、図１〜図４で用いた符号と同一のものは同一または相当物である。
【００１５】
図５、図６において、４’は、流し１の排水口１ａ（図１参照）の上部に設置されているゴミ受けカゴを覆うように設けられる合成樹脂製で剛性を有する蓋である。蓋４’は、平面視円形に形成されており、平面視ほぼ半円状の平板部１０の端縁ｍと、平面視ほぼ半円状で下方に凹入する湾曲板部１２の端縁ｎとで形成される排水用開口６を平面視における中央に有する。
【００１６】
図７、図８は、この発明の第３の実施形態を示す。なお、図７、図８において、図１〜図６で用いた符号と同一のものは同一または相当物である。この実施形態と上記第２の実施形態との相違点は、上記第１の実施形態では、湾曲板部１２を互いに対称の形状となるように二つに区分するスリット状の切欠き１５を設けたのに対して、この実施形態の蓋４’’にはそのような切欠き１５を前記湾曲板部１２に設けていない点である。
【００１７】
図９、図１０は、この発明の第４の実施形態を示す。なお、図９、図１０において、図１〜図８で用いた符号と同一のものは同一または相当物である。
【００１８】
図９、図１０において、４’’’は、流し１の排水口１ａの上部に設置されているゴミ受けカゴ３を覆うように設けられる剛性の蓋である。この蓋４’’’は、平面視円形に形成されており、合成樹脂製で剛性を有する。前記蓋４’’’は、平面視ほぼ扇形状の一対の平板部３０，３１と、平面視ほぼ扇形状で下方に凹入する一対の湾曲板部１２ｃ，１２ｄとを備え、前記平板部３０，３１と湾曲板部１２ｃ，１２ｄとは平面視において互いに隣り合う状態で配置され、前記平板部３０，３１の端縁ｍ1 ，ｍ3 、ｍ2 ，ｍ4 と前記湾曲板部１２ｃ，１２ｄの端縁ｎ2 ，ｎ3 、ｎ1 ，ｎ4 とで排水用開口６を形成してある。そして、平板部３０，３１同士が対角線上に位置している。また、湾曲板部１２ｃ，１２ｄ同士が対角線上に位置している。１１ｂ，１１ｃは、蓋４’’’の上面外周部７の円周角でほぼ９０°に対応する部分における外周側から内側に所定幅Ｌを有する形でほぼ平坦に連設される連設部である。なお、９，９は、前記上面外周部７の円周角でほぼ９０°に対応する部分における内周側から内側で、上方側に緩やかに傾斜する傾斜部である。
【００１９】
図１１、図１２は、この発明の第５の実施形態を示す。なお、図１１、図１２において、図１〜図１０で用いた符号と同一のものは同一または相当物である。
【００２０】
図１１、図１２において、５０は、流し１の排水口１ａの上部に設置されているゴミ受けカゴ３（図１参照）を覆うように設けられる剛性の蓋である。この蓋５０は、平面視円形に形成されており、樹脂製で剛性を有する。更に、蓋５０は、環状板体５９と、平板状かつ平面視円形の把手６０と、環状板体５９と把手６０を連結する複数の湾曲した板状の立上り面部６１とを備えている。６０ａは、把手６０の裏面（下面）である。
【００２１】
前記環状板体５９は、平坦な環状の上面外周部７と、この上面外周部７の外周側から垂下した垂下面部６３と、前記上面外周部７の内周側から内側に傾斜した傾斜面部６４とを有する。そして、傾斜面部６４の内端縁ｊによって蓋５０の排水用開口６が形成されている。排水用開口６と把手６０は同一中心軸を持ち、排水流路の水はけを良好にするために、排水用開口６は平面視において把手６０よりも大きく形成されている。
【００２２】
前記複数の立上り面部６１は、傾斜面部６４の前記内端縁ｊの複数領域Ｍ，Ｎから上方へ、かつ、前記上面外周部７と略面一な高さになるまで連設されており、上面外周部７と把手６０は同一高さに設定されている。すなわち、把手６０は、複数の立上り面部６１を介して排水用開口６の直上に排水流路の排水空間を形成するよう、上面外周部７と略面一な状態で位置する。
【００２３】
この発明では、流し１の排水口１ａの異なる口径に適合するよう外周にフランジが形成されている。すなわち、蓋５０の外周には、上面外周部７を垂下面部６３から平面視円形の蓋５０における径方向に長さＡだけ突出させてなる環状のフランジＦが設けられている。
【００２４】
ここで、流し１の排水口１ａの口径が例えば大中小の三つの場合があるとした場合、大中小のうち、従来は小の口径を持つ排水口１ａ（図１参照）に、図１４に示すような長い垂下面部６３’を、排水栓２の胴の上部に形成されているストレート部分２ｂ（図１参照）と排水栓２のフランジ５との間に設けた環状の段差Ｍに載置するとともに、垂下面部６３’の外周面が排水栓２の上方開口２ａにおける内周面ｉ（図１参照）に当接しながら蓋７０を排水栓２に嵌め込んでいたが、
（１）この発明では、フランジＦが、排水口１ａの口径が例えば大の場合には、図２に示すようにゴミ受けカゴ収容容器２のフランジ５の内周部分に引っ掛かる形で排水口１ａに蓋５０を設置できるようにしたものである。
また、
（２）この発明では、排水口１ａの口径が例えば小の場合（図１参照）、垂下面部６３の外周面が前記内周面ｉに当接しながら、かつ、前記フランジＦがゴミ受けカゴ収容容器２のフランジ５に載置された状態で排水口１ａに蓋５０を設置できるようにしたものである。
【図面の簡単な説明】
【００２５】
【図１】この発明の第１の実施形態における使用状態の一例を示す構成説明図である。
【図２】上記実施形態における使用状態の他の一例を示す構成説明図である。
【図３】上記実施形態を示す平面図である。
【図４】上記実施形態示す縦断面図である。
【図５】この発明の第２の実施形態を示す平面図である。
【図６】上記第２の実施形態示す縦断面図である。
【図７】この発明の第３の実施形態を示す平面図である。
【図８】上記第３の実施形態示す縦断面図である。
【図９】この発明の第４の実施形態を示す平面図である。
【図１０】上記第４の実施形態示す縦断面図である。
【図１１】この発明の第５の実施形態を示す斜視図である。
【図１２】上記第５の実施形態示す縦断面図である。
【図１３】従来例を示す縦断面図である。
【図１４】他の従来例を示す斜視図である。
【符号の説明】
【００２６】
１          流し
１ａ        排水口  
３          ゴミ受けカゴ
４          蓋
６          排水用開口
Ｆ          フランジ
【図１】
2005273250.tif 000003
【図２】
2005273250.tif 000004
【図３】
2005273250.tif 000005
【図４】
2005273250.tif 000006
【図５】
2005273250.tif 000007
【図６】
2005273250.tif 000008
【図７】
2005273250.tif 000009
【図８】
2005273250.tif 000010
【図９】
2005273250.tif 000011
【図１０】
2005273250.tif 000012
【図１１】
2005273250.tif 000013
【図１２】
2005273250.tif 000014
【図１３】
2005273250.tif 000015
【図１４】
2005273250.tif 000016